(57)【要約】  典型的な実施形態は、電子デバイスの電力効率を高めることに関する。デバイスは電力管理モジュールおよびその電力管理モジュールに接続された無線周波数（RF）モジュールを含んでもよい。デバイスは、さらに、電力管理モジュール及びRFモジュールのそれぞれに接続され、１つ以上のRF条件に基づき電力管理モジュールの少なくとも１つの設定を動的に調整するよう構成されたデジタルモジュールを含んでもよい。【選択図】図２
2016515318.tif 000002
【特許請求の範囲】
【請求項１】
電力管理モジュールと、
前記電力管理モジュールに接続された無線周波数（ＲＦ)モジュールと、
前記電力管理モジュール及び前記ＲＦモジュールのそれぞれに接続され、１つ以上のＲＦ条件に基づき前記電力管理モジュールの少なくとも１つの設定を動的に調整するよう構成されたデジタルモジュールと、
を含むデバイス。
【請求項２】
前記電力管理モジュールは、電力管理集積回路（ＰＭＩＣ)を含み、前記ＲＦモジュールは、無線周波数集積回路（ＲＦＩＣ)を含み、前記デジタルモジュールは、デジタル集積回路を含む、請求項１に記載のデバイス。
【請求項３】
前記１つ以上のパラメータは、受信信号強度インジケータ（ＲＳＳＩ)、エラーベクトル振幅（ＥＶＭ)およびビットエラーレート（ＢＥＲ)のうち１つ以上を含む、請求項１に記載のデバイス。
【請求項４】
前記少なくとも１つの設定は、ヘッドルーム電圧を含む、請求項１に記載のデバイス。
【請求項５】
前記デジタルモジュールは、前記ヘッドルーム電圧を漸進的に調整するよう構成されている、請求項４に記載のデバイス。
【請求項６】
前記デジタルモジュールは、前記ヘッドルーム電圧を１２．５ミリボルト単位で動的に調整するよう構成されている、請求項４に記載のデバイス。
【請求項７】
前記デジタルモジュールは、前記１つ以上のＲＦ条件が改善している間は、前記少なくとも１つの設定を第１の速度で動的に調整し、前記１つ以上のＲＦ条件が悪化している間は、第２のより速い速度で動的に調整するよう構成されている、請求項１に記載のデバイス。  
【請求項８】
前記デジタルモジュールは、前記少なくとも１つの設定を複数の調整速度のうちの１つで動的に調整するよう構成されている、請求項１に記載のデバイス。
【請求項９】
前記デジタル集積回路は、前記少なくとも１つの設定を前記１つ以上のＲＦ条件に基づく動作の間、実質的に連続して動的に調整するよう構成されている、請求項１に記載のデバイス。  
【請求項１０】
１つ以上の無線周波数（ＲＦ）条件を受けることと、
前記１つ以上のＲＦ条件に基づいて少なくとも１つの電力管理設定を動的に調整することと、
を含む方法。
【請求項１１】
前記１つ以上のＲＦ条件を受けることは、デジタル集積回路のモデムから前記１つ以上のＲＦ条件を受けることを含む、請求項１０に記載の方法。  
【請求項１２】
前記少なくとも１つの設定を動的に調整することは、前記１つ以上のＲＦ条件に基づいて電力管理集積回路（ＰＭＩＣ)の前記少なくとも１つの設定を動的に調整するために、デジタル集積回路から制御信号を前記ＰＭＩＣに伝達することを含む、請求項１０に記載の方法。 
【請求項１３】
１つ以上のＲＦ条件を受けることは、受信信号強度インジケータ（ＲＳＳＩ)、エラーベクトル振幅（ＥＶＭ)およびビットエラーレート（ＢＥＲ)のうち少なくとも１つを受けることを含む、請求項１０に記載の方法。
【請求項１４】
少なくとも１つの電力管理設定を動的に調整することは、電力管理モジュールのヘッドルーム電圧、前記電力管理モジュールのスイッチング周波数、および前記電力管理モジュールの制御回路構成のうち少なくとも１つを動的に調整することを含む、請求項１０に記載の方法。
【請求項１５】
少なくとも１つの電力管理設定を動的に調整することは、低ドロップアウト（ＬＤＯ）レギュレータのヘッドルーム電圧を漸進的に調整することを含む、請求項１０に記載の方法。
【請求項１６】
少なくとも１つの電力管理設定を動的に調整することは、切り替えモード電力供給装置の出力電圧を調整することを含む、請求項１０に記載の方法。 
【請求項１７】
プロセッサにより実行されるとき、プロセッサに
１つ以上の無線周波数（ＲＦ）条件を受けることと、
前記１つ以上のＲＦ条件に基づいて少なくとも１つの電力管理設定を動的に調整することと
を含む命令を実行させる命令を記憶したコンピュータ可読記憶媒体。
【請求項１８】
１つ以上の無線周波数（ＲＦ）条件を受けるための手段と、
前記１つ以上のＲＦ条件に基づいて少なくとも１つの電力管理設定を動的に調整するための手段と、
を含むデバイス。
【請求項１９】
前記受けるための手段は、受信信号強度インジケータ（ＲＳＳＩ)、エラーベクトル振幅（ＥＶＭ)およびビットエラーレート（ＢＥＲ)のうち少なくとも1つを受けるための手段を含む、請求項１８に記載のデバイス。
【請求項２０】
前記動的に調整するための手段は、電力管理モジュールのヘッドルーム電圧を動的に調整するための手段を含む、請求項１８に記載のデバイス。
【発明の詳細な説明】
【関連出願】
【０００１】
[0001]本出願は、その全体が参照により本明細書に明確に組み込まれる、２０１３年２月１１日に出願された「ＤＹＮＡＭＩＣ ＰＯＷＥＲ ＭＡＮＡＧＥＭＥＮＴ ＣＯＮＴＲＯＬ」と題する米国非仮特許出願第１３／７６４、３５０号の利益を主張する。
【技術分野】
【０００２】
[0002]本発明は、一般に電子デバイスの電力管理に関する。より具体的には、本発明は、無線周波数性能に基づき電子デバイスの電力効率を最適化するための実施形態に関する。
【背景技術】
【０００３】
[0003]技術の進歩は、より小型でより強力なモバイルコンピューティングデバイスをもたらした。たとえば、現在、モバイル無線電話およびパーソナルデジタルアシスタンツ（ＰＤＡ）のような無線コンピューティングデバイスを含む、様々なモバイルコンピューティングデバイスが存在している。技術が進歩するにつれて、モバイルデバイスの電力効率は、ますます重要となり、モバイルデバイスに利用される電力量を減少させることが望ましい。そのような減少は、バッテリ寿命の延長及びモバイルデバイスの使用コストの減少をもたらすことができる。  
[0004]モバイル無線電話のような電子デバイスは、電力管理集積回路（ＰＭＩＣ)のような電力管理モジュールを含みうる。ＰＭＩＣは、電子デバイス内で、その所要電力に応じて、電力供給装置から電力を受け、１つ以上のモジュール（たとえば、無線周波数集積回路（ＲＦＩＣ))に、調整された電力を供給するよう構成されうる。 
[0005]ＲＦＩＣ内の位相同期ループ（ＰＬＬ)は、一般に、電源ノイズに対して非常に敏感である。これは、ＲＦ性能パラメータの低下という結果になりうる。従来、ＲＦＩＣを供給する１つ以上の低ドロップアウトレギュレータ(ＬＤＯ)のヘッドルーム電圧のようなＰＭＩＣ設定は、最悪の場合の無線周波数（ＲＦ）環境が、１つ以上のＬＤＯが切り替えモード電力供給装置（ＳＭＰＳ）からのノイズおよび刺激を十分に抑制することができるように十分高く静的に設定される。しかしながら、最悪の場合のＲＦ環境のためのＬＤＯヘッドルーム電圧またはその他のレギュレータ設定を静的に設定することは、ＲＦの条件が改善した時に、結果として無駄な電力となる。過剰なヘッドルーム電圧によるパワーペナルティは、ＳＭＰＳから副調整するその他のＬＤＯにおける無駄な電力によりさらに増大される。 
[0006]電子デバイスの電力効率を改善する必要がある。より具体的には、少なくとも１つのＲＦ条件に基づき少なくとも１つの電力管理設定を動的に調整することに関する実施形態の必要がある。
【図面の簡単な説明】
【０００４】
【図１】電力管理モジュール、無線周波数モジュール、及びデジタルモジュールを含むデバイスのブロック図である。
【図２】本発明の典型的な実施形態による、電力管理モジュール、無線周波数モジュール、デジタルモジュール、および電力効率最適化ループを含むデバイスのブロック図である。
【図３】本発明の典型的な実施形態による電子システムを例示する。
【図４】本発明の典型的な実施形態による方法を例示するフローチャートである。
【発明を実施するための形態】
【０００５】
[0011]添付図面に関連して以下に記載される詳細な説明は、本発明の典型的な実施形態の説明として意図され、本発明が実現されうる唯一の実施形態を表すようには意図されない。本明細書の全体にわたって用いられる「典型的（exemplary）」という用語は、「例、実例、または例示を提供する」を意味し、他の典型的な実施形態に対して、必ずしも好ましいまたは有利であるようには解釈されるべきではない。詳細な説明は、本発明の典型的な実施形態の完全な理解を提供することを目的とした特定の詳細を含む。本発明の典型的な実施形態は、これらの特定の詳細なしで実現されうることが当業者に明らかになるであろう。いくつかの事例では、周知の構造およびデバイスが、ここに示される典型的な実施形態の新規性を曖昧にすることを避けるために、ブロック図形式で示される。
【０００６】
[0012]図１は、デジタルモジュール１０４に接続された無線周波数（ＲＦ）モジュール１０６に接続された電力管理モジュール１０２を含むデバイス１００ を例示する。電力管理モジュール１０２は電力管理集積回路（ＰＭＩＣ）を含むことができ、ＲＦモジュール１０６は無線周波数集積回路（ＲＦＩＣ）を含むことができ、また、デジタルモジュール１０４はデジタル集積回路（ＩＣ)を含むことができる。  
[0013]電力管理モジュール１０２は、バッテリ１１０と複数の低ドロップアウト（ＬＤＯ)レギュレータＬＤＯ１−ＬＤＯＮとの間に接続された切り替えモード電力供給装置（ＳＭＰＳ）１１２を含む。 ＳＭＰＳ１１２は、バッテリ１１０から電圧を受け、出力電圧ＶＯＵＴを低ドロップアウトレギュレータＬＤＯ１−ＬＤＯＮのそれぞれに伝達するよう構成される。当業者には当然のことであるが、出力電圧ＶＯＵＴは、ＲＦモジュール１０６の位相同期ループ（ＰＬＬ)１２０に接続された低ドロップアウトレギュレータＬＤＯ１に要求されるヘッドルーム電圧ＶＨＲに依存する。
【０００７】
[0014]ＲＦモジュール１０６は、 ミキサ１２４に接続されたＰＬＬ１２０を含む。ＲＦモジュール１０６は、さらに、ＲＦチャンネル１０８とアンテナ１０９とを介して信号を受信するよう構成されたレシーバフロントエンド（receiver front-end: ＲＦＥ)１２２を含む。ＲＦＥ１２２は、受信した信号をミキサ１２４に伝達するよう構成され、ミキサ１２４は、その信号をダウンコンバートし、ダウンコンバートされた信号をアナログデジタルコンバータ（ＡＤＣ）１２６に伝達する。アナログ信号を受信すると、ＡＤＣ１２６は、そのアナログ信号をデジタル信号に変換することができ、そのデジタル信号をデジタルモジュール１０４のモデム１２８に伝達することができる。
【０００８】
[0015]当業者には当然のことながら、ＰＬＬ１２０は、電源ノイズに対して非常に敏感なことがあり、その結果として、エラーベクトル振幅（error vector magnitude: ＥＶＭ)およびビットエラーレート（bit error rate: ＢＥＲ）のようなＲＦ性能パラメータの低下を招くことがある。さらに、従来は、電力管理モジュール１０２の１つ以上の設定は、最悪の場合のＲＦ環境用に静的に設定されている。たとえば、電力管理モジュール１０２のＬＤＯヘッドルーム電圧は、ＳＭＰＳ１１２からのノイズ及び刺激を十分に抑制するように静的に設定されている。しかしながら、最悪の場合のＲＦ環境用にレギュレータの設定（たとえば、ＬＤＯヘッドルーム電圧）を静的に設定することは、ＲＦ環境が改善した時（すなわち、最悪の場合のＲＦ環境と比較して）、結果として無駄な電力となることがある。そのうえ、過剰なＬＤＯヘッドルーム電圧は、 ＳＭＰＳ１１２から副調整するその他のＬＤＯ（たとえばＬＤＯ２−ＬＤＯＮ)における無駄な電力によるパワーペナルティをさらに増大させることがある。
【０００９】
[0016]電力効率の問題に対処するため、従来の電子デバイスは、ＬＤＯヘッドルーム電圧を減少させるためにＰＬＬノイズ感度を最小限にしようとしてきた。しかし、ＰＬＬノイズ感度を低くすることは、通常、より高い電力消費またはより広いダイ面積というコストになる。したがって、ＬＤＯ内部の電力が無駄になるかわり、ＰＬＬ内で電力が無駄になる。さらに、上に記載したように、不良なＲＦ条件のためにＬＤＯヘッドルーム電圧を静的に設定することは、ＲＦ環境が改善した時に不用な電力消費につながる。
【００１０】
[0017]電力効率の問題に対処する別の方法は、直接ＳＭＰＳからＲＦＩＣに電力供給すること、したがってＬＤＯをなくし、またＬＤＯ内で無駄になる電力をなくすことを含む。しかしながら、存在する可能性のあるノイズおよび／または刺激を抑制するためのＬＤＯがないと、ＳＭＰＳをパルス周波数変調（ＰＦＭ)モードで使用することができない。結果として、ＳＭＰＳは、パルス幅変調（ＰＷＭ)モードで動作せざるを得ず、それにより低い負荷電流の間に大幅に効率が低下する。当然のことながら、ほとんどのＲＦモードの負荷電流でのＰＷＭ効率は、ＰＦＭに比較して非常に低い。 
[0018]ここに記載したように、典型的な実施形態は、１つ以上のＲＦ条件に基づく１つ以上の電力設定を動的に調整することに関する実施形態に向けられる。１つの典型的な実施形態によれば、デバイスは電力管理モジュールおよびその電力管理モジュールに接続された無線周波数（ＲＦ）モジュールを含んでもよい。デバイスは、さらに、電力管理モジュール及びＲＦモジュールのそれぞれに接続され、１つ以上のＲＦ条件に基づき電力管理モジュールの少なくとも１つの設定を動的に調整するよう構成されたデジタルモジュールを含んでもよい。  
[0019]別の典型的な実施形態によれば、本発明は、電子デバイスの電力効率を最適化する方法を含む。そのような方法の様々の実施形態は、１つ以上の無線周波数（ＲＦ）条件を受けること、およびその１つ以上のＲＦ条件に基づき少なくとも１つの電力管理設定を動的に調整することを含んでもよい。本願の開示のさらに別の典型的な実施形態は、プロセッサにより実行されるとき、ここに記載された１つ以上の実施形態に従う命令をプロセッサに実行させる命令を保存したコンピュータ可読媒体記憶装置を含む。
【００１１】
[0020]本発明の他の側面は、様々な側面の特徴および利点と同様に、次の記載、添付の図面及び添付の請求項の考慮により当業者には明らかになるであろう。
【００１２】
[0021]図2は、本発明の典型的な実施形態によるデバイス２００を例示する。デバイス２００は、デジタルモジュール２０４に接続された無線周波数（ＲＦ）モジュール２０６に接続された電力管理モジュール２０２を含む。単に一例として、電力管理モジュール２０２は、電力管理集積回路（ＰＭＩＣ）を含んでもよく、ＲＦモジュール２０６は無線周波数集積回路（ＲＦＩＣ）を含んでもよい。また、デジタルモジュール１０４はデジタル集積回路（ＩＣ)を含んでもよい。  
[0022]電力管理モジュール２０２は、複数の低ドロップアウトレギュレータＬＤＯ１−ＬＤＯＮに接続された切り替えモード電力供給装置（ＳＭＰＳ）２１２を含む。図２に例示するように、ＳＭＰＳ２１２は、出力電圧ＶＯＵＴを低ドロップアウトレギュレータＬＤＯ１−ＬＤＯＮのそれぞれに伝達するよう構成される。前述のように、ＳＭＰＳ２１２の出力電圧ＶＯＵＴは、ＲＦモジュール２０６のＰＬＬ１２０に接続された低ドロップアウトレギュレータＬＤＯ１に要求されるヘッドルーム電圧ＶＨＲに依存しうる。 
[0023]ＲＦモジュール２０６は、 位相同期ループ（ＰＬＬ）１２０を含み、ＰＬＬ１２０は、低ドロップアウトレギュレータＬＤＯ１から供給電圧ＶＤＤを受けるよう構成されている。ＰＬＬ２２０は、当業者には当然のことであるが、さらに、ミキサ１２４に信号を伝達するよう構成されている。ＲＦモジュール２０６は、さらに、ＲＦチャンネル１０８とアンテナ１０９とを介して信号を受信するよう構成されたレシーバフロントエンド（receiver front-end: ＲＦＥ)１２２を含む。ＲＦＥ１２２は、受信した信号をミキサ１２４に伝達するよう構成され、ミキサ１２４は、その信号をダウンコンバートし、ダウンコンバートされた信号をアナログデジタルコンバータ（ＡＤＣ）１２６に伝達する。アナログ信号を受信すると、ＡＤＣ１２６は、そのアナログ信号をデジタル信号に変換することができ、そのデジタル信号をデジタルモジュール２０４のモデム２２８に伝達することができる。モデム２２８は、デバイス２００のＲＦ条件に関する様々なパラメータに関する情報を含んでもよいし、またはその情報を受けるように構成されていてもよいということを指摘しておく。たとえば、モデム２２８は、デバイス２００のビットエラーレート（ＢＥＲ)、デバイス２００の受信信号強度インジケータ（ＲＳＳＩ)、デバイス２００のエラーベクトル振幅（ＥＶＭ)、またはこれらの組み合わせに関するＲＦ情報を含んでもよい。
【００１３】
[0024]デジタルモジュール２０４は、さらに、デジタルモジュール２０４のモデム２２８および電力管理モジュール２０２のＳＭＰＳ１１２に接続されたアルゴリズムユニット２３０を含む。本発明の１つの典型的な実施形態によれば、アルゴリズムユニット２３０は、モデム２２８から１つ以上の信号を受け、１つ以上のデジタル制御信号をＳＭＰＳ２１２に伝達するよう構成されている。より具体的には、アルゴリズムユニット２３０は、ＢＥＲ、ＲＳＳＩ、ＥＶＭまたはこれらの組み合わせのような、デバイス２００のＲＦ条件に関する１つ以上のパラメータをモデム２２８から受けるように構成されていてもよい。ＲＦ条件に関わる情報の受信に応答して、アルゴリズムユニット２３０は、電力管理モジュール２０２の１つ以上の設定を調整するためにＳＭＰＳ２１２に１つ以上の制御信号を伝達してもよい。限定されない例として、アルゴリズムユニット２３０は、ＳＭＰＳ２１２のスイッチング周波数、ＳＭＰＳ２１２の１つ以上の内部制御回路、または低ドロップアウトレギュレータＬＤＯ１−ＬＤＯＮのヘッドルーム電圧ＶＨＲを調整するためにＳＭＰＳ２１２に１つ以上の制御信号を伝達してもよい。１つの典型的な実施形態によれば、デバイス２００の関連したトランシーバ（図２には図示せず：図３のトランシーバ３２０を参照）が積極的に発信または送信していない間に、電力管理モジュール設定が変更されてもよいということを指摘しておく。さらに、１つの典型的な実施形態によれば、ヘッドルーム電圧ＶＨＲと、したがって出力電圧ＶＯＵＴとは、現在のＲＦ条件に基づいて作動中実質的に連続して調整されうるということを指摘しておく。
【００１４】
[0025]デバイス２００の予定動作の間、各低ドロップアウトレギュレータＬＤＯ１−ＬＤＯＮのヘッドルーム電圧ＶＨＲは、初期値に設定されてもよい。たとえば、各低ドロップアウトレギュレータＬＤＯ１−ＬＤＯＮのヘッドルーム電圧ＶＨＲは、当初、最悪の場合のＲＦ条件用の最大値に設定されてもよい。さらに、モデム２２８は、現在のＲＦ条件（たとえば、デバイス２００のＢＥＲ、ＲＳＳＩ、および／またはＥＶＭ）に関する情報（たとえば、パラメータ）をアルゴリズムユニット２３０に伝達してもよい。それに応答して、アルゴリズムユニット２３０は、ヘッドルーム電圧ＶＨＲを動的に調整するために、ＳＭＰＳ２１２に制御信号を伝達してもよい。たとえば、デバイス２００のＲＦ条件が改善した場合（すなわち、前回の読み出しに比べて）、アルゴリズムユニット２３０は、ヘッドルーム電圧ＶＨＲを動的に下げるために、ＳＭＰＳ２１２に制御信号を伝達してもよい。他の例として、デバイス２００のＲＦ条件が悪化した場合（すなわち、前回の読み出しに比べて）、アルゴリズムユニット２３０は、ヘッドルーム電圧ＶＨＲを動的に上げるために、ＳＭＰＳ２１２に制御信号を伝達してもよい。１つの典型的な実施形態によれば、ヘッドルーム電圧ＶＨＲは、比較的小さい単位で調整されてもよい。単なる例として、ヘッドルーム電圧ＶＨＲは、１２．５ｍＶずつ調整されてもよい。
【００１５】
[0026]デバイス２００の別の予定動作の間、ＳＭＰＳ２１２のスイッチング周波数は、初期値に設定されてもよい。たとえば、ＳＭＰＳ２１２のスイッチング周波数は、当初、最悪の場合のＲＦ条件用の最大値に設定されてもよい。さらに、モデム２２８は、現在のＲＦ条件（たとえば、ＢＥＲ、ＲＳＳＩ、および／またはＥＶＭ）に関する情報（たとえば、パラメータ）をアルゴリズムユニット２３０に伝達してもよい。それに応答して、アルゴリズムユニット２３０は、ＳＭＰＳ２１２のスイッチング周波数を動的に調整するために、ＳＭＰＳ２１２に制御信号を伝達してもよい。たとえば、デバイス２００のＲＦ条件が改善した場合（すなわち、前回の読み出しに比べて）、アルゴリズムユニット２３０は、スイッチング周波数を動的に下げるために、ＳＭＰＳ２１２に制御信号を伝達してもよい。別の例として、デバイス２００のＲＦ条件が悪化した場合（すなわち、前回の読み出しに比べて）、アルゴリズムユニット２３０は、スイッチング周波数を動的に上げるために、ＳＭＰＳ２１２に制御信号を伝達してもよい。  
[0027]デバイス２００のさらに別の予定動作の間、ＳＭＰＳ２１２の１つ以上の制御回路は、初期構成に設定されてもよい。たとえば、ＳＭＰＳ２１２の１つ以上の制御回路は、当初、最悪の場合のＲＦ条件用の高電力モードに設定されてもよい。さらに、モデム２２８は、デバイス２００の現在のＲＦ条件（たとえば、ＢＥＲ、ＲＳＳＩ、および／またはＥＶＭ）に関する情報（たとえば、パラメータ）をアルゴリズムユニット２３０に伝達してもよい。それに応答して、アルゴリズムユニット２３０は、１つ以上の制御回路の設定を動的に調整するために、ＳＭＰＳ２１２に制御信号を伝達してもよい。 たとえば、デバイス２００のＲＦ条件が改善した場合（すなわち、しきい値を超えて）、アルゴリズムユニット２３０は、１つ以上の制御回路を低電力モードに動的に設定するために、ＳＭＰＳ２１２に制御信号を伝達してもよい。別の例として、たとえば、デバイス２００のＲＦ条件が悪化した場合（すなわち、しきい値を超えて）、アルゴリズムユニット２３０は、１つ以上の制御回路を高電力モードに動的に設定するために、ＳＭＰＳ２１２に制御信号を伝達してもよい。 
[0028]したがって、本発明の典型的な実施形態によれば、デバイス２００は、電力最適化ループを含んでもよく、電力最適化ループは１つ以上のＲＦ条件に関する情報を受け、それに応答して、１つ以上の電力設定を調整する制御信号を伝達するよう構成されたアルゴリズムユニットを含む。１つの典型的な実施形態によれば、電力最適化ループは、ここに記載したように、ＲＦ性能への影響を確実に最小限にするためにスローアタックレート（slow attack rate）およびクイックバックオフレート（quick back-off rate）を有していてもよいということを指摘しておく。より具体的には、ＲＦ条件が改善している時、デバイス２００の電力効率をゆっくりと改善するように、電力管理モジュール２０２の１つ以上の電力最適化設定（たとえば、ヘッドルーム電圧ＶＨＲ）は、ゆっくりと変更されてもよい。さらに、ＲＦ条件が悪化している時、デバイス２００の電力消費をゆっくりと増加するように、電力管理モジュール２０２の１つ以上の電力最適化設定（たとえば、ヘッドルーム電圧ＶＨＲ）は、ゆっくりと変更されてもよい。さらに、前記に指摘したように、関連したトランシーバが積極的に発信または送信していない時、ピークＥＶＭが低下しないように、電力最適化設定を調整することができる。また、電力最適化設定は選択可能な単位で調整されうる（たとえば、ヘッドルーム電圧ＶＨＲは１２．５ｍＶ単位で調整されうる）ため、電力は、ほとんどいかなるＲＦ条件においても節約することができる。
[0029]図３は、無線通信デバイス３００のブロック図である。この典型的な設計において、無線通信デバイス３００は、デジタルモジュール２０４、トランシーバ３２０、および電力管理モジュール２０２を含む。デジタルモジュール２０４は、アルゴリズムユニット２３０およびモデム２２８に加えて、メモリ２３５を含んでもよい。メモリ２３５は、アルゴリズムユニット２３０の外部に描かれているが、アルゴリズムユニット２３０がメモリ２３５を含んでもよいということを指摘しておく。さらに、アルゴリズムユニット２３０および／またはメモリ２３５は、無線通信デバイス３００（たとえば、無線通信デバイス３００のプロセッサ）により読み出し及び実行される時、本発明の実施形態を実行および／または使用するために必要なステップを無線通信デバイス３００に実行させることができる命令を含んでもよい。
【００１６】
[0030]トランシーバ３２０は、双方向無線通信をサポートする送信機３３０および受信機３４０を含む。一般に、無線通信デバイス３００は、いくつの通信システムに対してでも、いくつの周波数帯域に対してでも、およびいくつのアンテナに対してでも、いくつの送信機でも、およびいくつの受信機でも含んでもよい。
【００１７】
[0031]送信パスでは、データプロセッサを含みうるデータモジュール２０４は、送信すべきデータを処理することができる。デジタルモジュール２０４またはトランシーバ３２０に含まれうるデジタルアナログコンバータ（図３には図示せず）は、処理済みデータを受けアナログ出力信号を送信機３３０に提供しうる。送信機３３０内で、アナログ出力信号は増幅され、デジタルアナログ変換により生じたイメージを除去すべく濾波され、さらに増幅され、そしてベースバンドからＲＦにアップコンバートされうる。アップコンバートされた信号は、その後スイッチ／デュプレクサ３５０を経由（routed through）する前にさらに濾波および／または増幅を受けることができ、そしてアンテナ３６０を介して発信されることができる。
【００１８】
[0032]受信パスでは、アンテナ３６０は、基地局および／または他の送信機局から信号を受信することができ、受信された信号を提供し、その信号は、スイッチ／デュプレクサ３５０を経由して（routed through）、受信機３４０に提供される。受信機３４０内において、受信された信号は、濾波及び増幅された後、ＲＦからベースバンドにダウンコンバートされうる。ダウンコンバートされた信号は、その後さらに増幅および／または濾波を受けることができ、アナログ入力信号を得る。デジタルモジュール２０４またはトランシーバ３２０に含まれうるアナログデジタルコンバータ（図３には図示せず）は、アナログ入力信号をデジタル化し、デジタルモジュール２０４による処理のためのサンプルを提供する。
【００１９】
[0033]図３は、ＲＦとベースバンド間の信号を一段階で周波数変換するダイレクトコンバージョンアーキテクチャーを実現する送信機３００および受信機３４０を例示する。送信機３００および／または受信機３４０は、ＲＦとベースバンド間の信号を多段階で周波数変換するスーパーヘテロダインアーキテクチャーもまた実現しうる。局所発振器（ＬＯ)生成器３７０は、アップコンバージョンおよびダウンコンバージョンのための発信および受信ＬＯ信号を生成し、提供する。図２に例示したＰＬＬ１２０を含み得る位相同期ループ（ＰＬＬ)３８０ は、デジタルモジュール２０４から制御情報を受け、発信および受信ＬＯ信号を適切な周波数で発生するために、ＬＯ生成器３７０に制御信号を提供する。電力管理モジュール２０２は、バッテリ電圧（Ｖｂａｔ）および／または電力供給電圧（Ｖｐｓ）を受け、デジタルモジュール２０４およびトランシーバ３２０用の供給電圧を生成する。トランシーバ３２０の全体または一部は、１つ以上のアナログＩＣ、ＲＦ ＩＣ(ＲＦＩＣ)、混合信号ＩＣ、等で実現されうる。たとえば、トランシーバ３２０は、図２に例示したＲＦモジュール２０６等のＲＦモジュール内に実現されうる。
【００２０】
[0034]図４は、１つまたは複数の典型的な実施形態による方法４００を例示するフローチャートである。方法４００は、１つ以上の無線周波数（ＲＦ）条件を受けること（数字４０２により表される）を含みうる。単なる例として、１つ以上のＲＦ条件は、ビットエラーレート（ＢＥＲ）、受信信号強度インジケータ（ＲＳＳＩ）、および／またはエラーベクトル振幅（ＥＶＭ）を含みうる。方法４００は、また、１つ以上のＲＦ条件に基づいて少なくとも１つの電力管理設定を動的に調整すること（数字４０４により表される）を含みうる。たとえば、１つ以上のヘッドルーム電圧、スイッチング周波数、および制御回路構成（たとえば、高電力モードまたは低電力モード）は、１つ以上のＲＦ条件に応答して、動的に調整されうる。
【００２１】
[0035]当業者であれば、情報および信号は、様々な異なる技術および技法のうちの任意のものを用いて表されうることを理解するであろう。例えば、上記説明の全体を通して参照されうるデータ、命令、コマンド、情報、信号、ビット、シンボル、およびチップは、電圧、電流、電磁波、磁場または磁性粒子、光場または光粒子、あるいはこれらの任意の組み合わせによって表されうる。
【００２２】
[0036]当業者であれば、ここに開示された典型的な実施形態に関連して説明された様々な例示的な論理ブロック、モジュール、回路、およびアルゴリズムステップは、電子ハードウェア、コンピュータソフトウェア、または両方の組み合わせとして実現されうることをさらに理解するであろう。ハードウェアおよびソフトウェアの互換性を明確に例示するために、様々な例示的なコンポーネント、ブロック、モジュール、回路、およびステップが、概してそれらの機能の観点から上記に説明された。このような機能が、ハードウェアとして実現されるか、あるいはソフトウェアとして実現されるかは、特定のアプリケーションおよびシステム全体に課せられている設計制約に依存する。当業者は、各特定のアプリケーションに関して、多様な方法で、説明された機能を実現しうるが、このような実現の決定は、本発明の典型的な実施形態の範囲から逸脱を引き起こしていると解釈されるべきでない。 
[0037]ここに開示された典型的な実施形態に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル論理デバイス、ディスクリートゲートまたはトランジスタロジック、ディスクリートハードウェアコンポーネント、あるいはここに説明された機能を実行するように設計されるこれらの任意の組み合わせで、実現または実行されうる。汎用プロセッサは、マイクロプロセッサでありうるが、代替において、このプロセッサは、任意の従来のプロセッサ、コントローラ、マイクロコントローラ、またはステートマシン（state machine）でありうる。プロセッサはまた、例えば、ＤＳＰとマイクロプロセッサの組み合わせ、複数のマイクロプロセッサ、ＤＳＰコアと連携した１つ以上のマイクロプロセッサ、あるいはその他任意のこのような構成である、コンピューティングデバイスの組み合わせとして実現されうる。 
[0038]１つ以上の典型的な実施形態では、説明された機能は、ハードウェア、ソフトウェア、ファームウェア、またはこれらの任意の組み合わせで実現されうる。ソフトウェアで実現される場合、これら機能は、コンピュータ可読媒体上で、１つ以上の命令またはコードとして送信または記憶されうる。コンピュータ可読媒体は、１つの場所から別の場所へのコンピュータプログラムの転送を容易にする任意の媒体を含む通信媒体とコンピュータ記憶媒体との両方を含む。記憶媒体は、コンピュータによってアクセスされうる任意の利用可能な媒体でありうる。限定ではなく例として、このようなコンピュータ可読媒体は、ＲＡＭ、ＲＯＭ、ＥＥＰＲＯＭ（登録商標）、ＣＤ-ＲＯＭまたは他の光ディスク記憶装置、磁気ディスク記憶装置またはその他の磁気記憶デバイス、あるいは、データ構造または命令の形式で所望のプログラムコードを記憶または伝送するために使用可能であり、かつコンピュータによってアクセスされうるその他任意の媒体を備えうる。また、任意の接続は、コンピュータ可読媒体と厳密には称されうる。例えば、ソフトウェアが、同軸ケーブル、光ファイバーケーブル、ツイストペア、デジタル加入者回線（ＤＳＬ）、または赤外線、電波、およびマイクロ波のような無線技術を使用して、ウェブサイト、サーバ、またはその他の遠隔ソースから送信される場合には、この同軸ケーブル、光ファイバーケーブル、ツイストペア、ＤＳＬ、または赤外線、電波、およびマイクロ波のような無線技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組み合わせもまた、コンピュータ読取可能な媒体の範囲内に含まれるべきである。
【００２３】
[0039]開示された典型的な実施形態の上記説明は、いかなる当業者であっても、本発明の製造または使用を可能にするように提供される。これら典型的な実施形態への様々な修正は、当業者にとって容易に明らかであり、ここに定義された一般的な原理は、本発明の主旨または範囲から逸脱することなく、他の実施形態にも適用されうる。したがって、本発明は、ここに示された典型的な実施形態に限定されるようには意図されず、ここに開示される原理および新規な特徴と一致する最も広い範囲を与えられることとなる。 
【図１】
2016515318.tif 000003
【図２】
2016515318.tif 000004
【図３】
2016515318.tif 000005
【図４】
2016515318.tif 000006
【国際調査報告】
2016515318.tif 000007
2016515318.tif 000008